(57)【要約】【課題】光源からの熱に起因する基板の反り及び浮きが抑制された照明ユニットを提供する。【解決手段】本発明の照明ユニットは、発光素子を有する複数の光源と、前記光源が長手方向に沿って上面側に配列された基板と、前記基板が上面に載置されたケースと、を有する照明ユニットであって、前記ケースは、前記基板を長手方向に挟んで対向する一対の側面を有し、前記一対の側面は、それぞれに内側に向かって突出部が設けられており、前記基板の長手方向の両端部が、前記ケースの上面と前記突出部との間に挿入されていることを特徴とする。【選択図】  図１
2010080372.tif 000002
【特許請求の範囲】
【請求項１】
発光素子を有する複数の光源と、前記光源が長手方向に沿って上面側に配列された基板と、前記基板が上面に載置されたケースと、を有する照明ユニットであって、
前記ケースは、前記基板を長手方向に挟んで対向する一対の側面を有し、
前記一対の側面は、それぞれに内側に向かって突出部が設けられており、
前記基板の長手方向の両端部が、前記ケースの上面と前記突出部との間に挿入されていることを特徴とする照明ユニット。
【請求項２】
前記基板の長手方向の両端部は、前記ケースの上面および前記突出部の少なくとも一方との間に隙間ができるように設けられていることを特徴とする請求項１に記載の照明ユニット。
【請求項３】
前記ケースは、前記基板を短手方向に挟んで対向する少なくとも一対の凸部を有し、
前記凸部が、前記基板の短手方向の側面を押圧していることを特徴とする請求項１又は２に記載の照明ユニット。
【請求項４】
前記基板の短手方向の側面には、前記凸部と勘合される凹部が設けられていることを特徴とする請求項３に記載の照明ユニット。
【請求項５】
前記基板の上面側には、前記複数の光源を覆うカバーを有し、
前記カバーは、前記基板の周端部を上面側から押圧していることを特徴とする請求項１乃至４のいずれか一つに記載の照明ユニット。
【請求項６】
前記ケースは、前記基板を短手方向に挟んで対向する少なくとも一対の爪部を有し、
前記爪部が前記カバーを係止することによって、前記カバーが前記基板を押圧していることを特徴とする請求項５に記載の照明ユニット。
【請求項７】
前記カバーは、前記突出部の位置に合わせて切り欠き部が設けられ、前記基板の長手方向の両端部を上面側から押圧していることを特徴とする請求項５又は６に記載の照明ユニット。
【発明の詳細な説明】
【技術分野】
【０００１】
本発明は、発光素子を有する光源を用いた照明ユニットに関し、特にライン状に複数の光源が配列された照明ユニットに関するものである。
【背景技術】
【０００２】
近年、蛍光灯を用いた照明ユニットの代替照明ユニットとして、発光ダイオード等の発光素子を有する光源を用いた長尺な照明ユニットが提案されている。例えば、発光素子を有する複数の光源が長手方向に沿って表面側に配列された基板と、基板の裏面側に当設された金属ケースと、複数の光源を覆うように設けられた制光体と、を有する照明ユニットであって、さらに、制御光体は、発光素子からの光を制光する制光部と、制光部の両側から金属ケースに向かって突設されると共に、金属ケースに係止される爪部が先端に設けられた取付片部と、各光源周囲の基板表面をそれぞれ金属ケース側に押圧する複数の当接部と、を有する照明ユニット等が提案されている（例えば、特許文献１参照）。
【特許文献１】特開２００５−１７５１８８号公報
【発明の開示】
【発明が解決しようとする課題】
【０００３】
しかしながら、上記の照明ユニットでは、制御光体の当接部が各光源周囲の基板表面を押圧しているだけであり、光源からの熱によって基板の周端部が金属ケースから浮いてしまう等の熱膨張に起因した問題を有していた。特に、光源が配列された長手方向に対して基板が凹状に反ってしまうのを抑制するのには不十分であった。このため、基板と金属ケースとの接触面積を十分に確保することができず、放熱性を悪化させてしまっていた。
【０００４】
そこで本発明は、光源からの熱に起因した基板の反り及び浮きを抑制することが可能な照明ユニットを提供することを目的とする。
【課題を解決するための手段】
【０００５】
本発明によれば、前記課題は次の手段により解決される。
【０００６】
本発明の照明ユニットは、発光素子を有する複数の光源と、前記光源が長手方向に沿って上面側に配列された基板と、前記基板が上面に載置されたケースと、を有する照明ユニットであって、前記ケースは、前記基板を長手方向に挟んで対向する一対の側面を有し、前記一対の側面は、それぞれに内側に向かって突出部が設けられており、前記基板の長手方向の両端部が、前記ケースの上面と前記突出部との間に挿入されていることを特徴とする。これにより、光源からの熱に起因した基板の反り及び浮きを抑制することができる。
【０００７】
また、前記基板の長手方向の両端部は、前記ケースの上面および前記突出部の少なくとも一方との間に隙間ができるように設けられていることが好ましい。これにより、基板と突出部との間に過剰な応力が発生するのを緩和することができる。
前記ケースは、前記基板を短手方向に挟んで対向する少なくとも一対の凸部を有し、前記凸部が、前記基板の短手方向の側面を押圧していることが好ましい。これにより、基板の側面と凸部との間に摩擦を生じさせ、基板の反り及び浮きをさらに抑制することができる。
さらに、前記基板の短手方向の側面には、前記凸部と勘合される凹部が設けられていることが好ましい。これにより、基板が長手方向にずれるのを防止することができる。
また、前記基板の上面側には、前記複数の光源を覆うカバーを有し、前記カバーは、前記基板の周端部を上面側から押圧していることが好ましい。このとき、前記ケースは、前記基板を短手方向に挟んで対向する少なくとも一対の爪部を有し、前記爪部が前記カバーを係止することによって、前記カバーが前記基板を押圧するようにできる。これにより、基板の周端部の反り及び浮きを特に抑制することができる。
また、前記カバーは、前記突出部の位置に合わせて切り欠き部が設けられ、前記基板の長手方向の両端部を上面側から押圧していることが好ましい。これにより、基板に対してカバーが押圧する位置を正確にし、基板の反り及び浮きをさらに抑制することができる。
【発明の効果】
【０００８】
本発明によれば、光源からの熱に起因する基板の反り及び浮きが抑制された照明ユニットを提供することができる。
【発明を実施するための最良の形態】
【０００９】
以下、本発明に係る照明ユニットにおける最良の実施形態（以下「実施形態」という）について詳細に説明する。
【００１０】
また、本明細書は特許請求の範囲に示される部材を、実施形態の部材に特定するものでは決してない。実施形態に記載されている構成部品の寸法、材質、形状、その相対的配置等は、特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細な説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００１１】
＜第一の実施形態＞
図１は、第一の実施形態に係る照明ユニットを模式的に示す斜視図である。図２は、第一の実施形態に係る照明ユニットを模式的に示す分解図である。図３は、第一の実施形態に係る照明ユニットを模式的に示す図１のＡ−Ａ' 線における断面図である。図４は、第一の実施形態に係る照明ユニットを模式的に示す図１のＡ−Ａ' 線付近における拡大図である。図５は、第一の実施形態に係る照明ユニットの端部を模式的に示す拡大図である。ただし、図４及び図５については、内部構造をより明確に示すためにカバー３０を図示していない。
【００１２】
第一の実施形態に係る照明ユニットは、発光素子を有する複数の光源１０と、光源１０が長手方向ｘに沿って上面側に配列された基板１２と、基板１２が上面２０ｃに載置されたケース２０と、光源１０を覆うようにしてケース２０に係止されたカバー３０と、を備えている。さらに、ケース２０は、基板１２を長手方向ｘに挟んで対向する一対の側面２０ａを少なくとも有し、その一対の側面２０ａはそれぞれに内側(基板側)に向かって突出部２２が設けられている。そして、基板１２の長手方向ｘの両端部が、ケースの上面２０ｃと突出部２２との間に挿入されている。また、カバー３０は、基板１２の周端部を上面側から押圧した状態でケース２０に係止されている。
【００１３】
本実施形態において、基板１２は、矩形形状に形成されている。基板１２の上面側には、光源１０が長手方向ｘに沿って所定の間隔で複数配設されており、さらに、光源１０を発光させるための配線パターン（図示しない）も形成されている。光源１０と配線パターンとは、ＡｇやＡｕ、Ｓｎ等の接合部材（図示しない）によって、ハンダ付けされて電気的に接続されている。このような光源１０として、セラミックや樹脂などで形成されたパッケージに、複数の発光素子が配置された表面実装型（ＳＭＤ）の発光装置が用いられている。また、基板１２には、外部電源と電気的に接続可能なコネクタ１４を有しており、光源１０と同様にしてコネクタ１４も配線パターンと電気的に接続されている。このとき、コネクタ１４は、基板１２の長手方向ｘの両端部側に設けられているのが好ましく、照明ユニットを複数設ける際に各照明ユニットを直列的に接続し易くすることができる。
【００１４】
本実施形態に係るケース２０は、基板１２が載置される上面２０ｃの周囲に、基板１２を長手方向ｘに挟んで対向する一対の側面２０ａ（第１の側面）と、基板１２を短手方向ｙに挟んで対向する一対の側面２０ｂ（第２の側面）と、を有している。
ケースの第１の側面２０ａは、それぞれに突出部２２がケースの上面２０ｃに対して略平行に内側に突出して設けられており、さらに、基板１２の長手方向ｘの両端部がケースの上面２０ｃと突出部２２との間にそれぞれ挿入されている。このとき、基板１２の長手方向ｘの両端部は、ケースの上面２０ｃと突出部２２との間に１ｍｍ以上挿入されているのが好ましく、熱に起因した基板１２の反り及び浮きを十分に抑制することができる。さらに、各突出部２２は、基板１２の反り及び浮きの影響が最も現われ易い箇所に配置されているのが好ましい。このため、本実施形態に係る各突出部２２は、基板１２の上面側からみて、基板１２に配列された光源１０と略同一直線上に対向するように設けられている。さらに、基板１２の側面側からみて、基板１２の長手方向ｘの両端部は、ケースの上面２０ｃおよび突出部２２の少なくとも一方との間に隙間ができるようにそれぞれ挿入されており、その隙間は０．１ｍｍ以下とするのが好ましい。これにより、基板１２と突出部２２との間に過剰な応力が発生するのを緩和し、突出部２２にクラックが発生してしまうのを防止することができる。
【００１５】
また、ケースの第２の側面２０ｂには、基板１２を短手方向ｙに挟んで対向する少なくとも一対の凸部２４が設けられており、その凸部２４が基板１２の短手方向ｙの側面を押圧している。このとき、基板１２の短手方向ｙの側面には、凸部２４と勘合されるように凹部１６が設けられているのが好ましい。これにより、光源１０からの熱に起因した基板１２の反り及び浮きを摩擦力によって抑制することができるのに加え、基板１２の長手方向ｘへの滑りも抑制することができる。さらに、ケースの第２の側面２０ｂには、基板１２を短手方向ｙに挟んで対向する少なくとも一対の爪部２６を有している。爪部２６は、光源１０を覆うように基板１２の上面側に設けられたカバー３０を係止している。係止されたカバー３０は、基板１２の周端部を上面側からケースの上面２０ｃに向かって押圧するため、特に、基板１２の周端部の反り及び浮きを抑制することができる。
【００１６】
具体的には、本実施形態に係るカバー３０は、基板１２と同様に長尺な形状を有しており、複数の光源１０を覆うために半円筒形状に形成されている。カバー３０の短手方向ｙの両端部には、ケースの上面２０ｃとほぼ平行に延在する鍔部３２が設けられている。カバーの鍔部３２は、ケース（特に、第２の側面２０ｂ）の爪部２６によって係止されると共に、基板１２の短手方向ｙの両端部を上面側からケースの上面２０ｃと挟み込むようにして押圧している。さらに、カバー３０の長手方向ｘの両端部には、ケース（特に、第１の側面２０ａ）の突出部２２の位置に合わせて切り欠き部３４が設けられている。これにより、カバー３０の長手方向ｘの両端部は、切り欠き部３４によって突出部２２を挟み込むようにして、基板１２の長手方向ｘの両端部まで延在すると共に基板１２の上面側を押圧している。
【００１７】
以上説明したように、第一の実施形態に係る照明ユニットは、光源１０からの熱に起因した基板１２の反り及び浮きを抑制することができる。これにより、照明ユニットを点灯させた際の熱によって、基板１２とケースの上面２０ｃとの接触面積が減少してしまうのを抑制することができるため、常に放熱性に優れた照明ユニットとすることができる。
【００１８】
以下、本発明に係る実施形態の各構成について詳述する。
【００１９】
（基板）
基板は、発光素子を有する光源やコネクタ等の電子部品が配置され、さらに、それらの電子部品と電気的に接続される回路パターンが形成された回路基板である。このような基板としては、機械的強度および熱伝導性が高く、熱変形の少ない材料を用いるのが好ましい。具体的には、セラミックス、ガラス、ガラスエポキシ、アルミニウム合金等を用いたプリント基板が好適に利用される。また、基板の下面には、放熱性に優れるグリスや両面テープを設けてケース上面との隙間(空気層)を埋めるのが好ましく、熱伝導性が好ましくない基板を用いる際には、銅やアルミニウム合金等から構成される金属基板を接合しても良い。これにより、光源からの熱を、基板の下面側から照明ユニットの外部（例えば、天井や棚等の設置面）へと効率良く放熱することができる。
【００２０】
（光源）
光源は、発光素子を有しており、光を発光することが可能な素子であれば特に限定されるものではない。例えば、発光ダイオード（ＬＥＤ）や半導体レーザ素子（ＬＤ）等の当該分野で使用されているもののいずれをも使用することができる。特に、ＲＧＢの各波長域の光に対応した複数の発光素子を用いることにより、単色の発光素子を用いる場合よりも、演色性を向上させることができるため好ましい。
このような発光素子は、光源として、発光素子自体を直接基板に実装して用いても良い他、パッケージや被覆部材等により覆われた発光装置として用いても良い。例えば、発光装置としては、セラミックや樹脂などで形成されたパッケージに発光素子が配置された表面実装型（ＳＭＤ）や、リードフレームに配置された発光素子をガラスや樹脂などの被覆部材でモールドして形成された砲弾型（ランプタイプ）等が挙げられる。さらに、パッケージや被覆部材には、それぞれ波長変換部材（例えば、アルミニウム酸化物系蛍光体や窒化物系蛍光体、シリケート系蛍光体等）や拡散材（例えば、アルミナやシリカ、酸化チタン等）を含有させることもできる。
また、光源には、実装された基板の上面側からみて配光が略ランバーシャン分布光となる構造のものが好適に用いられる。これにより、均一な光の分布を実現した照明ユニットにすることができる。さらに、光源は、基板の上面に等間隔に配列されているのが好ましい。これにより、発光素子から発生する熱の分布を均等にすることができる。
【００２１】
（ケース）
ケースとは、照明ユニットの土台であって、各部材を直接又は間接的に接続するための部材である。具体的には、第一の実施形態に係るケースを用いて説明する。
図１乃至５に示すように、ケース２０は、載置される基板形状に合わせて形成された長尺な上面２０ｃと、上面２０ｃの長手方向ｘの両端部から垂直に延びた一対の側面２０ａ（第１の側面）と、を少なくとも有している。第１の側面２０ａにはそれぞれに、ケース上面２０ｃに対して略平行となるように内側（基板側）に向かって突出部２２が形成されている。ただし、本明細書においては、ケース上面２０ｃの反対側の面を底面という。さらに、ケースの底面は、照明ユニットを設置した際に外部（例えば、天井や棚等の設置面）と接する面である。
さらに、ケース２０は、上面２０ｃの短手方向ｙの両端部から垂直に延びた一対の側面２０ｂ（第２の側面）を有することもできる。第２の側面２０ｂは、第１の側面２０ａの高さよりも低くなるように設けられている。第２の側面２０ｂには、基板１２の短手方向ｙの両側面を挟んで押圧する一対の凸部２４が形成されている。ただし、凸部２４は、基板１２の反り及び浮きを摩擦によって抑制することができれば良く、基板１２の短手方向ｙの側面を片側からのみ押圧するように設けても良い。また、第２の側面２０ｂには、後述するカバー３０をケースの上面側に押圧すると共に係止するための爪部２６が形成されている。なお、これらの凸部２４及び爪部２６は、第２の側面２０ｂのみに限定されること無く、ケースの上面２０ｃや後述する段差部２８に形成されていても良い。
また、第１の側面２０ａ及び第２の側面２０ｂには、ケースの上面２０ｃとの間に段差部２８を形成することができ、ケースの上面２０ｃに載置された基板１２の周囲を段差部２８が囲むように配置されるのが好ましい。このとき、基板１２の周囲に配置された段差部２８の高さは、ケースの上面２０ｃに載置された基板１２の厚みよりも低くなるように形成されている。これにより、ケース３０に対する基板１２の位置決めを容易にすることができると共に、後述するカバー３０による基板１２への押圧を正確に行なうことができる。さらに、第１の側面２０ａ及び第２の側面２０ｂの先端には、曲面を有しているのが好ましく、リフレクタ効果により光の取り出し効率を向上させることができる。
【００２２】
また、第１の側面２０ａと反対側にある各外側面には、照明ユニットの角度調節を自在にして外部と固定可能な多角柱状の支持体２９が設けられている。支持体２９は、例えばＵ字形状を有する支持部品（図示しない）の湾曲部に挟み込まれると共に、支持部品の先端が天井や棚等の設置面に挿入されることによって固定される。このとき、多角柱状の支持体２９を構成する各面が、支持部品の湾曲部と接することによって、照明ユニットを所定の角度で維持することができる。
【００２３】
このようなケースに用いられる材料としては、特に限定されないが、射出成型による成型のし易さや強度、さらには熱伝導性等を考慮した材料を用いるのが好ましい。例えば、ガラスエポキシ樹脂や、セラミックス、液晶ポリマー、ポリブチレンテレフタレート（ＰＢＴ）樹脂、ポリカーボネート（ＰＣ）樹脂、エポキシ樹脂、フェノール樹脂、ＡＢＳ樹脂などが好適に挙げられる。
【００２４】
（カバー）
カバーとは、基板の上面に配列された複数の光源を覆い、外部から光源を保護するための部材をいう。本明細書におけるカバーは、長尺な半円筒形状を有しているが、基板の周端部を押圧することができれば、これに限定されない。ただし、ここでは長尺な半円筒形状を有する第一の実施形態に係るカバーを用いて説明する。
図１及び図２に示すように、カバー３０は、短手方向ｙに所定の曲率を有する湾曲面３０ａと、この湾曲面３０ａを長手方向ｘに挟んで対向する一対の平坦面３０ｂとから構成される。
カバー（特に、湾曲面３０ａ）の短手方向ｙの両端部には、ケースの上面２０ｃとほぼ平行に延在する鍔部３２を設けることができる。カバーの鍔部３２は、ケースの爪部２６によって係止されると共に、基板１２の短手方向ｙの両端部を上面側から挟み込むようにして押圧することができる。このとき、図３に示すように、カバーの鍔部３２は、基板１２の短手方向ｙの両端部よりもさらに外側へ延在するように形成され、その延在された部分が、ケースの爪部２６によって係止されているのが好ましい。これにより、基板１２の短手方向ｙの両端部がケースの鍔部３２に押圧される力を、てこの原理を利用して増大させることができ、熱に起因した基板１２の反り及び浮きをさらに抑制することができる。さらに、カバーの鍔部３２は、前述したケースの第２の側面２０ｂの代わりに、ケース２０の短手方向ｙの両側面を覆うように延在させて設けることもできる。これにより、照明ユニットの短手方向ｙにおける配光特性を広げることができる。また、カバーの湾曲面３０ａには、コネクタ１４に接続されたケーブルを外部に引き出すための切り欠き部３６を形成することもできる。
カバー３０の長手方向ｘの両端部（一対の平坦面３０ｂ）は、それぞれ前述したケースの第１の側面２０ａに対して略平行となるように、基板１２の上面まで延在している。このとき、延在されたカバー３０の長手方向ｘの両端部は、ケースの突出部２２の位置に合わせて切り欠き部３４が形成されている。つまり、カバー３０の長手方向ｘの両端部は、切り欠き部３４によって突出部２２を挟み込むようにして、基板１２の長手方向ｘの両端部を上面側から押圧することができる。これにより、基板１２に対してカバー３０が押圧する位置を正確に決定することができると共に、カバー３０自体のガタツキをも防止することができる。
【００２５】
このようなカバーに用いられる材料としては、光源からの光を透過することが可能な材料にて構成されていれば特に限定されず、当該分野で公知の材料によって形成することができる。例えば、軽量で、強度の強いプラスチック、特に加工性および耐熱性を考慮すると、ポリカーボネートやアクリルなどの樹脂材料にて構成されているのが好ましい。また、カバーの内面には、拡散部材（例えば、半透明及び乳白色樹脂製の厚さの薄いシート等）を配置したり、適切なレンズ形状に形成したりすることにより、光源からの光に対して拡散効果やレンズ効果を持たせることができる。
【００２６】
（照明ユニットの組み立て方法）
照明ユニットの組み立て方法を第一の実施形態に係るケースを用いて簡単に説明する。
最初に、光源１０が実装された基板１２の長手方向ｘの一端を、ケース上面２０ｃに対して所定の角度で、ケース上面２０ｃと突出部２２との間に挿入する。続いて、基板１２の長手方向ｘの他端をケース上面２０ｃに載置させた後、基板１２を他端側にスライドさせる。これにより、基板１２の長手方向ｘの両端部が、それぞれケース上面２０ｃと突出部２２との間に挿入される。さらにこのとき、基板１２の短手方向ｙの側面に設けられた切欠き部１６が、ケースの第２の側面２０ｂに設けられた凸部２４と勘合されることによって、基板１２の長手方向ｘの動きが抑制される。最後に、カバーの切り欠き部３４にケースの突出部２２を挿入させる共に、カバーの鍔部３２をケースの爪部２６に係止させる。これにより、カバー３０が、光源１０を覆うと共に基板１２の周端部を押圧するように設けられる。
以上説明したように、基板１２の反り及び浮きを抑制した照明ユニットを、ネジ等の固定部品を用いること無く容易に組み立てることができる。
【００２７】
＜第二の実施形態＞
図６は、第二の実施形態に係る照明ユニットの端部を模式的に示す拡大図である。図７は、第二の実施形態に係る照明ユニットの端部の変形例を示す拡大図である。ただし、図６及び図７については、突出部２２をより明確に示すためにコネクタ１４を図示していない。
【００２８】
また、第二の実施形態に係る照明ユニットは、ケースに設けられた突出部の配置以外は、第一の実施形態と実質的に同様の構造を有している。なお、同じ構造については図２を用いて説明すると共に、省略する部分もある（以下の実施形態および実施例でも同様とする）。
【００２９】
第二の実施形態に係る照明ユニットは、発光素子を有する複数の光源１０と、光源１０が長手方向ｘに沿って上面側に配列された基板１２と、基板１２が上面２０ｃに載置されたケース２０と、光源１０を覆うようにして、基板１２の周端部を上面側から押圧した状態でケース２０に係止されたカバー３０と、を有している。さらに、ケース２０は、基板１２を長手方向ｘに挟んで対向する一対の側面２０ａを少なくとも有し、その一対の側面２０ａはそれぞれに突出部２２が内側（基板側）方向に突出して設けられている。そして、基板１２の長手方向ｘの両端部が、ケースの上面２０ｃと突出部２２との間に挿入されている。
これに加え、図６に示すように、本実施形態に係る照明ユニットでは、基板１２を長手方向ｘに挟んで対向するケースの一対の側面２０ａに対して、それぞれに突出部２２が２箇所ずつ設けられている。ケースの各側面２０ａに設けられた２つの突出部２２は、基板１２の短手方向ｙに互いに分離して配置されている。さらに、基板１２の上面側に設けられたカバー３０が、分離された各突出部２２の間を延在して基板１２の上面を押圧している。これにより、第一の実施形態とほぼ同様の効果を有すると共に、特に、光源１０が配列された長手方向ｘに対して、基板１２が凹状に反ってしまうのを安定して抑制することができる。
【００３０】
また、図７に示すように、基板１２の短手方向ｙの片側に、突出部２２を寄せて配置すると共に、その反対側にはカバー３０が基板１２の上面まで延在されるように設けても良い。
【実施例１】
【００３１】
＜実施例１＞
実施例１として、第一の実施形態に係る照明ユニットを用いて説明する。
【００３２】
実施例１は、光源１０と、光源１０が実装される長尺な基板１２と、基板１２が載置されるケース２０と、ケース２０に係止されるカバー３０と、を少なくとも備える。
また、光源１０としてＲＧＢ色の各発光素子を有する発光装置、基板１２として表面に回路パターンが形成されたガラスエポキシ基板、ケース２０としてはポリカーボネート樹脂、カバー３０としては透光性を有するアクリル樹脂を用いる。
【００３３】
本実施例１に係る光源１０は、基板上面に長手方向ｘに配列されると共に、基板１２に形成された回路パターンにハンダ付け実装されている。
また、ケース２０は、基板１２が載置される長尺な上面２０ｃと、上面２０ｃの長手方向ｘを挟んで対向する一対の側面２０ａ(第１の側面)と、上面２０ｃの短手方向ｙを挟んで対向する一対の側面２０ｂ(第２の側面)と、を有している。第１の側面２０ａは、それぞれに突出部２２が基板側方向に突出して形成され、その突出部２２とケース上面２０ｃとの間に、基板１２の長手方向ｘの両端部が挿入されている。このとき、突出部２２は、基板１２の上面側からみて、基板１２に配列された光源１０と略同一直線上に対向するように設けられている。また、基板１２の長手方向ｘの両端部は、ケース上面２０ｃと突出部２２との間に１ｍｍ程度挿入されている。さらに、基板１２の長手方向ｘの両端部は、基板１２の側面側からみて、ケース上面２０ｃおよび突出部２２の少なくとも一方との間に０．１ｍｍ程度の隙間ができるよう配置されている。
また、第２の側面２０ｂには、基板１２の短手方向ｙの両側面を押圧するように、凸部２４が対向して形成されている。さらに、第２の側面２０ｂには、基板１２の周端部を上面側から押圧するカバー３０が係止される爪部２６が形成されている。
また、カバー３０は、短手方向ｙに所定の曲率を有する湾曲面３０ａと、この湾曲面３０ａを長手方向ｘに挟んで対向する一対の平坦面３０ｂとから構成されている。カバーの湾曲面３０ａは、配列された複数の光源１０からの光を透過可能に覆っている。さらに、湾曲面３０ａの短手方向ｙの両端部には、ケース上面２０ｃと略平行になるように延在する鍔部３２が設けられている。カバーの鍔部３２は、ケースの爪部２６によって係止されると共に、基板１２の短手方向ｙの両端部を上面側から挟み込んで押圧している。また、カバーの一対の平坦面３０ｂは、ケースの第１の側面２０ａに対して略平行に基板１２の上面まで延在されている。このとき、一対の平坦面３０ａには、ケースの突出部２２の位置に合わせて切り欠き部３４が形成されている。これにより、一対の平坦面３０ａは、切り欠き部３４によって突出部２２を挟み込むようにして、基板１２の長手方向ｙの両端部を上面側から押圧することができる。
【００３４】
以上により、実施例１では、第一の実施形態とほぼ同様の効果を有する照明ユニットを提供することができる。
【産業上の利用可能性】
【００３５】
本発明の照明ユニットは、一般照明の他に、冷蔵庫等のショーケースの照明や集魚灯照明等の種々の照明ユニットに利用することができる。
【図面の簡単な説明】
【００３６】
【図１】第一の実施形態に係る照明ユニットを模式的に示す斜視図である。
【図２】第一の実施形態に係る照明ユニットを模式的に示す分解図である。
【図３】第一の実施形態に係る照明ユニットを模式的に示す図１のＡ−Ａ' 線における断面図である。
【図４】第一の実施形態に係る照明ユニットを模式的に示す図１のＡ−Ａ' 線付近における拡大図である。
【図５】第一の実施形態に係る照明ユニットの端部を模式的に示す拡大図である。
【図６】第二の実施形態に係る照明ユニットの端部を模式的に示す拡大図である。
【図７】第二の実施形態に係る照明ユニットの端部の変形例を示す拡大図である。
【符号の説明】
【００３７】
１０…光源、１２…基板、１４…コネクタ、１６…凹部、２０…ケース、２０ａ…ケースの第１の側面、２０ｂ…ケースの第２の側面、２０ｃ…ケースの上面、２２…突出部、２４…凸部、２６…爪部、２８…段差部、２９…支持体、３０…カバー、３０ａ…カバーの湾曲面、３０ｂ…カバーの平坦面、３２…鍔部、３４、３６…切り欠き部
【図１】
2010080372.tif 000003
【図２】
2010080372.tif 000004
【図３】
2010080372.tif 000005
【図４】
2010080372.tif 000006
【図５】
2010080372.tif 000007
【図６】
2010080372.tif 000008
【図７】
2010080372.tif 000009